(57)【要約】【課題】  固定ボルトの位置に対して良好な公差調整を固定装置に与える。【解決手段】  少なくとも１つの対象物を、固定ボルトの設けられた支持部材に固定する装置は係合構成体（１３）を有し、この係合構成体は前記固定ボルトと係合することができる。この係合構成体（１３）は内側ケージ（８）に取り付けられており、内側ケージは湾曲しフレキシブルな複数の接続部材（１４，１５，１６，１７）を介して外側ケージ（３）と接続されている。この外側ケージにはさらに少なくとも１つの保持機構（１，２）が、前記対象物のため形成されている。
2008542661.tif 000002
【特許請求の範囲】
【請求項１】
少なくとも１つの対象物を、固定ボルトの設けられた支持部材に固定する装置であって、前記固定ボルトと係合可能な係合構成体（１３）と、該係合構成体（１３）を包囲する外側ケージ（３）とを備える形式の装置において、
前記係合構成体（１３）は、前記外側ケージ（３）の内部に配置された内側ケージ（８）に取り付けられており、
該内側ケージ（８）は、複数の湾曲したフレキシブルな接続部材（１４，１５，１６，１７）を介して前記外側ケージ（３）と接続されている、ことを特徴とする装置。
【請求項２】
請求項１記載の装置において、
前記接続部材（１４，１５，１６，１７）は外側に向かって湾曲している、ことを特徴とする装置。
【請求項３】
請求項２記載の装置において、
少なくとも４つの接続部材（１４，１５，１６，１７）が設けられており、
該接続部材は、前記内側ケージ（８）の両側において、相互にずれた２つの面に対をなして相互に対角に対向するよう配置されている、ことを特徴とする装置。
【請求項４】
請求項３記載の装置において、
それぞれ１つの面にある接続部材（１４，１７；１５，１６）は前記内側ケージ（８）に関して相互に対角に対向するよう配置されている、ことを特徴とする装置。
【請求項５】
請求項１から４までのいずれか一項記載の装置において、
前記係合構成体（１３）は、前記固定ボルトと係合することのできる複数のボルト爪（１８，１９）を有し、
該ボルト爪は、接続リブ（２４，２５，２６）を介して前記内側ケージ（８）と接続されている、ことを特徴とする装置。
【請求項６】
請求項１から５までのいずれか一項記載の装置において、
前記内側ケージ（８）には、導入方向で除々に先細に（円錐状に）なった切欠部を有する底部（９）が設けられている、ことを特徴とする装置。
【請求項７】
請求項６記載の装置において、
底部（９）からの導入方向にカバープレート（２７）が設けられており、
該カバープレートは、前記内側ケージ（８）と接続されて浮遊状態で支承され、前記外側ケージ（３）と前記内側ケージ（８）との間の中間空間を覆う、ことを特徴とする装置。
【請求項８】
請求項１から７までのいずれか一項記載の装置において、
当該装置は発泡プラスチック材料から作製されている、ことを特徴とする装置。
【請求項９】
請求項８記載の装置において、
前記プラスチック材料は、ＰＰ／ＥＰＤＭ−コポリマーである、ことを特徴とする装置。
【発明の詳細な説明】
【技術分野】
【０００１】
本発明は、請求項１の上位概念（前置部）による装置に関する。即ち、本発明は、少なくとも１つの対象物を、固定ボルトの設けられた支持部材に固定する装置であって、前記固定ボルトと係合可能な係合構成体と、該係合構成体を包囲する外側ケージとを備える形式の装置に関する。
【０００２】
この種の装置はＤＥ１９６３４３０９Ａ１から公知である。公知の装置は係合構成体を有し、この係合構成体は固定ボルトに係合することができる。この係合構成体は外部ケージにより包囲されており、この外部ケージには固定すべき対象物、とりわけ管路に対する保持構成体が取り付けられている。
【特許文献１】ドイツ特許公開１９６３４３０９Ａ１
【０００３】
本発明の課題は、冒頭に述べた形式の装置を改善し、固定ボルトの位置に対して効率的な公差調整が達成されるように構成することである。
【０００４】
この課題は冒頭に述べた形式の装置において、請求項１の特徴部分の構成によって解決される。即ち、本発明の固定装置は、前記係合構成体は、前記外側ケージの内部に配置された内側ケージに取り付けられており、該内側ケージは、複数の湾曲したフレキシブルな接続部材を介して前記外側ケージと接続されている、ことを特徴とする。
【０００５】
係合構成体が内側ケージに取り付けられており、内側ケージが湾曲したフレキシブルな接続部材を介して外側ケージと接続されていることによって、内側ケージは外側ケージに対して可動であり、これによって内側ケージの相対的可動性の枠内で固定ボルトの位置における公差が調整可能である。
【０００６】
本発明のさらなる有利な展開構成は従属請求項の対象である。
【０００７】
図面を参照した本発明の有利な実施例の以下の説明から、さらなる有利な構成および利点が明らかとなる。
【０００８】
図１は斜視図に本発明の装置の実施例を示す。この実施例はそれ自体公知の保持機構１，２を有し、この保持機構内には、有利には長手の対象物としての例えば電気ケーブルまたは流体管路の形態の管路を固定することができる。保持機構１，２は外側ケージ３と接続しており、この外側ケージはリング状の底部４、この底部４から間隔をおいて配置されたカバー部５、底部４とカバー部５を接続する２つの側部材６，７を有する。
【０００９】
外側ケージ３の内部には内側ケージ８が配置されている。この内側ケージは、リング状の底部９、偏平なカバー部１０、底部９とカバー部１０を接続する２つの側部材１１，１２を有する。内側ケージ８の内部には係合構成体１３が配置されている。この係合構成体は図１に図示されていない固定ボルトと係合することができる。固定ボルトは典型的には同様に図１に図示されていない支持部材（基材）に取り付けられる（螺着される）。
【００１０】
さらに本発明の装置は、複数の湾曲したフレキシブルな接続部材１４，１５，１６，１７を有する。ここで図示の実施例では、２つの接続部材１４，１５が図１の図示では前側に、２つの接続部材１６，１７が図１の図示では後側（背面側）に配置されている。従って内側ケージ８は外側ケージ３に対して間隔をおいて可動に支承されている。
【００１１】
図２は、図１の実施例を固定ボルトの導入方向に対して直角の断面において、即ち座部４，９に隣接して配置された接続部材１４、１７［１５、１６の誤記］が存在する高さの断面において示す。図２から、それぞれ同形式に構成された接続部材１４，１５，１６，１７，が外側に向かって湾曲しており、これらは内側ケージの両側の相互に（所定間隔をもって）ずれた２つの面にペアで（対をなして）相互に対角に対向するよう配置されていることが分かる。これによって内側ケージ８は外側ケージ３に対して固定ボルトの長手方向で、ある程度捩れることができる。
【００１２】
さらに図２には、係合構成体１３が複数の、図示の実施例では２つのボルト爪１８，１９を有し、これらのボルト爪が固定ボルトと係合することができることが示されている。ボルト爪１８，１９は相互に対角的に対向して配されており、それぞれ約９０゜の円周角にわたって延在している。
【００１３】
図３は、図１の実施例を、図２の断面に対して直角の別の断面で示す図である。図３から、接続部材１４，１５，１６，１７がペアで２つの面に配置されていることが分かる。さらに図３から、外側ケージ３ないしは内側ケージ８のカバー部５，１０にはそれぞれ１つの開口２０，２１が設けられていることが分かる。これにより装置（成形品）の製造時に中子用ロッド（コアロッド、Dorn）の作用によってボルト爪１８，１９の中心型（内部型部分  Nagativform）をカバー部５，１０を通して引き抜くことができ、装置（搬出成形品）の排出を許容することができる。
【００１４】
さらに図３から、内側ケージ８のカバー部１０には、外側ケージ３のカバー部５の方向を指す突起２２，２３が形成されていることが分かる。これにより内側ケージ８の相対運動が外側ケージ３に対して、固定ボルトへの取付け時に導入方向で制限（限定）される。
【００１５】
図３から、ボルト爪１８，１９は複数の接続リブ２４，２５，２６を介して内側ケージ８と接続していることが分かる。
【００１６】
さらに図３から、内側ケージ８の底部９は内側で円錐状に傾斜していることが分かる。これにより固定ボルトへの取付け時に案内作用が得られる。最初から位置にエラーがある場合、固定ボルトが外側ケージ３と内側ケージ８との間の中間空間に入り込むのを阻止するために、カバープレート２７が設けられている。このカバープレートは内側ケージ８の底部９と接続（結合）しており、外側ケージ３に対しては浮動状態で支承されている。カバープレート２７は内側ケージ８の底部９から半径方向に外側へ、内側部材８が外側部材３に対して相対的に最大可能に運動しても底部４，９の間の中間空間が覆われているようになるまで延在している。
【図面の簡単な説明】
【００１７】
【図１】図１は、本発明の装置の一実施例の斜視図である。
【図２】図２は、図２の実施例を、固定ボルトの導入方向に対して直角の断面で示す図である。
【図３】図３は、図１の実施例を、図２の断面に対して直角の別の断面で示す図である。
【図１】
2008542661.tif 000003
【図２】
2008542661.tif 000004
【図３】
2008542661.tif 000005
【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
少なくとも１つの対象物を、固定ボルトの設けられた支持部材に固定する装置であって、前記固定ボルトと係合可能な係合構成体（１３）と、該係合構成体（１３）を包囲する外側ケージ（３）とを備える形式の装置において、
前記係合構成体（１３）は、前記外側ケージ（３）の内部に配置された内側ケージ（８）に取り付けられており、
該内側ケージ（８）は、複数の湾曲したフレキシブルな接続部材（１４，１５，１６，１７）を介して前記外側ケージ（３）と接続されており、
前記接続部材（１４，１５，１６，１７）は外側に向かって湾曲している、
ことを特徴とする装置。
【請求項２】
請求項１記載の装置において、
４つの接続部材（１４，１５，１６，１７）が設けられており、
該接続部材は、前記内側ケージ（８）の両側において、相互にずれた２つの面に対をなして相互に対角に対向するよう配置されている、ことを特徴とする装置。
【請求項３】
請求項２記載の装置において、
それぞれ１つの面にある接続部材（１４，１７；１５，１６）は前記内側ケージ（８）に関して相互に対角に対向するよう配置されている、ことを特徴とする装置。
【請求項４】
請求項１から３までのいずれか一項記載の装置において、
前記係合構成体（１３）は、前記固定ボルトと係合することのできる複数のボルト爪（１８，１９）を有し、
該ボルト爪は、接続リブ（２４，２５，２６）を介して前記内側ケージ（８）と接続されている、ことを特徴とする装置。
【請求項５】
請求項１から４までのいずれか一項記載の装置において、
前記内側ケージ（８）には、導入方向で円錐状に先細になった切欠部（開口部）を有する底部（９）が設けられている、ことを特徴とする装置。
【請求項６】
請求項５記載の装置において、
底部（９）からの導入方向にカバープレート（２７）が設けられており、
該カバープレートは、前記内側ケージ（８）と接続されて浮遊状態で支承され、前記外側ケージ（３）と前記内側ケージ（８）との間の中間空間を覆う、ことを特徴とする装置。
【請求項７】
請求項１から６までのいずれか一項記載の装置において、
当該装置は発泡プラスチック材料から作製されている、ことを特徴とする装置。
【請求項８】
請求項７記載の装置において、
前記プラスチック材料は、ＰＰ／ＥＰＤＭ−コポリマーである、ことを特徴とする装置。
【手続補正２】
【補正対象書類名】明細書
【補正対象項目名】０００２
【補正方法】変更
【補正の内容】
【０００２】
この種の装置はＤＥ１９６３４３０９Ａ１から公知である。公知の装置は係合構成体を有し、この係合構成体は固定ボルトに係合することができる。この係合構成体は外部ケージにより包囲されており、この外部ケージには固定すべき対象物、とりわけ管路に対する保持構成体が取り付けられている。さらに、下記の特許文献２、３が公知である。
【特許文献１】ドイツ特許公開１９６３４３０９Ａ１
【特許文献２】ＵＳ２００３／００１０８７４Ａ１
【特許文献３】ＤＥ１０３５７４５０Ａ１
【手続補正書】
【提出日】平成20年1月28日(2008.1.28)
【手続補正１】
【補正対象書類名】明細書
【補正対象項目名】全文
【補正方法】変更
【補正の内容】
【発明の詳細な説明】
【技術分野】
【０００１】
本発明は、請求項１の上位概念（前置部）による装置に関する。即ち、本発明は、少なくとも１つの対象物を、固定ボルトの設けられた支持部材に固定する装置であって、前記固定ボルトと係合可能な係合構成体と、該係合構成体を包囲する外側ケージとを備える形式の装置に関する。
【０００２】
この種の装置はＤＥ１９６３４３０９Ａ１から公知である。公知の装置は係合構成体を有し、この係合構成体は固定ボルトに係合することができる。この係合構成体は外部ケージにより包囲されており、この外部ケージには固定すべき対象物、とりわけ管路に対する保持構成体が取り付けられている。さらに、下記の特許文献２、３が公知である。
【特許文献１】ドイツ特許公開１９６３４３０９Ａ１
【特許文献２】ＵＳ２００３／００１０８７４Ａ１
【特許文献３】ＤＥ１０３５７４５０Ａ１
【０００３】
本発明の課題は、冒頭に述べた形式の装置を改善し、固定ボルトの位置に対して効率的な公差調整が達成されるように構成することである。
【０００４】
この課題は冒頭に述べた形式の装置において、請求項１の特徴部分の構成によって解決される。即ち、本発明の固定装置は、前記係合構成体は、前記外側ケージの内部に配置された内側ケージに取り付けられており、該内側ケージは、複数の湾曲したフレキシブルな接続部材を介して前記外側ケージと接続されており、前記接続部材は外側に向かって湾曲していることを特徴とする。（形態１・基本構成）
【０００５】
係合構成体が内側ケージに取り付けられており、内側ケージが湾曲したフレキシブルな接続部材を介して外側ケージと接続されていることによって、内側ケージは外側ケージに対して可動であり、これによって内側ケージの相対的可動性の枠内で固定ボルトの位置における公差が調整可能である。
【０００６】
本発明のさらなる有利な展開構成は従属請求項の対象である。
本発明において、以下の展開構成が可能である。
４つの接続部材が設けられており、
該接続部材は、前記内側ケージの両側において、相互にずれた２つの面に対をなして相互に対角に対向するよう配置されていること。（形態２）
それぞれ１つの面にある接続部材は前記内側ケージに関して相互に対角に対向するよう配置されていること。（形態３）
前記係合構成体は、前記固定ボルトと係合することのできる複数のボルト爪を有し、該ボルト爪は、接続リブを介して前記内側ケージと接続されていること。（形態４）
前記内側ケージには、導入方向で円錐状に先細になった切欠部（開口部）を有する底部が設けられていること。（形態５）
底部からの導入方向にカバープレートが設けられており、
該カバープレートは、前記内側ケージと接続されて浮遊状態で支承され、前記外側ケージと前記内側ケージとの間の中間空間を覆うこと。（形態６）
当該装置は発泡プラスチック材料から作製されていること。（形態７）
前記プラスチック材料は、ＰＰ／ＥＰＤＭ−コポリマーであること。（形態８）
なお、特許請求の範囲に付記した図面参照符号は専ら理解を助けるためのものであり、図示の態様に限定することを意図するものではない。
【０００７】
図面を参照した本発明の有利な実施例の以下の説明から、さらなる有利な構成および利点が明らかとなる。
【０００８】
図１は斜視図に本発明の装置の実施例を示す。この実施例はそれ自体公知の保持機構１，２を有し、この保持機構内には、有利には長手の対象物としての例えば電気ケーブルまたは流体管路の形態の管路を固定することができる。保持機構１，２は外側ケージ３と接続しており、この外側ケージはリング状の底部４、この底部４から間隔をおいて配置されたカバー部５、底部４とカバー部５を接続する２つの側部材６，７を有する。
【０００９】
外側ケージ３の内部には内側ケージ８が配置されている。この内側ケージは、リング状の底部９、偏平なカバー部１０、底部９とカバー部１０を接続する２つの側部材１１，１２を有する。内側ケージ８の内部には係合構成体１３が配置されている。この係合構成体は図１に図示されていない固定ボルトと係合することができる。固定ボルトは典型的には同様に図１に図示されていない支持部材（基材）に取り付けられる（螺着される）。
【００１０】
さらに本発明の装置は、複数の湾曲したフレキシブルな接続部材１４，１５，１６，１７を有する。ここで図示の実施例では、２つの接続部材１４，１５が図１の図示では前側に、２つの接続部材１６，１７が図１の図示では後側（背面側）に配置されている。従って内側ケージ８は外側ケージ３に対して間隔をおいて可動に支承されている。
【００１１】
図２は、図１の実施例を固定ボルトの導入方向に対して直角の断面において、即ち座部４，９に隣接して配置された接続部材１４、１７［１５、１６の誤記］が存在する高さの断面において示す。図２から、それぞれ同形式に構成された接続部材１４，１５，１６，１７，が外側に向かって湾曲しており、これらは内側ケージの両側の相互に（所定間隔をもって）ずれた２つの面にペアで（対をなして）相互に対角に対向するよう配置されていることが分かる。これによって内側ケージ８は外側ケージ３に対して固定ボルトの長手方向で、ある程度捩れることができる。
【００１２】
さらに図２には、係合構成体１３が複数の、図示の実施例では２つのボルト爪１８，１９を有し、これらのボルト爪が固定ボルトと係合することができることが示されている。ボルト爪１８，１９は相互に対角的に対向して配されており、それぞれ約９０゜の円周角にわたって延在している。
【００１３】
図３は、図１の実施例を、図２の断面に対して直角の別の断面で示す図である。図３から、接続部材１４，１５，１６，１７がペアで２つの面に配置されていることが分かる。さらに図３から、外側ケージ３ないしは内側ケージ８のカバー部５，１０にはそれぞれ１つの開口２０，２１が設けられていることが分かる。これにより装置（成形品）の製造時に中子用ロッド（コアロッド、Dorn）の作用によってボルト爪１８，１９の中心型（内部型部分  Nagativform）をカバー部５，１０を通して引き抜くことができ、装置（搬出成形品）の排出を許容することができる。
【００１４】
さらに図３から、内側ケージ８のカバー部１０には、外側ケージ３のカバー部５の方向を指す突起２２，２３が形成されていることが分かる。これにより内側ケージ８の相対運動が外側ケージ３に対して、固定ボルトへの取付け時に導入方向で制限（限定）される。
【００１５】
図３から、ボルト爪１８，１９は複数の接続リブ２４，２５，２６を介して内側ケージ８と接続していることが分かる。
【００１６】
さらに図３から、内側ケージ８の底部９は内側で円錐状に傾斜していることが分かる。これにより固定ボルトへの取付け時に案内作用が得られる。最初から位置にエラーがある場合、固定ボルトが外側ケージ３と内側ケージ８との間の中間空間に入り込むのを阻止するために、カバープレート２７が設けられている。このカバープレートは内側ケージ８の底部９と接続（結合）しており、外側ケージ３に対しては浮動状態で支承されている。カバープレート２７は内側ケージ８の底部９から半径方向に外側へ、内側部材８が外側部材３に対して相対的に最大可能に運動しても底部４，９の間の中間空間が覆われているようになるまで延在している。
【図面の簡単な説明】
【００１７】
【図１】図１は、本発明の装置の一実施例の斜視図である。
【図２】図２は、図２の実施例を、固定ボルトの導入方向に対して直角の断面で示す図である。
【図３】図３は、図１の実施例を、図２の断面に対して直角の別の断面で示す図である。
【手続補正２】
【補正対象書類名】図面
【補正対象項目名】図３
【補正方法】変更
【補正の内容】
【図３】
2008542661.tif 000006
【国際調査報告】
2008542661.tif 000007
2008542661.tif 000008
2008542661.tif 000009
2008542661.tif 000010